(57)【特許請求の範囲】
【請求項１】
本体部に接続される測定用プローブと、前記本体部に配設された操作部と、前記本体部に収容されると共に前記測定用プローブを介して入力出力する電気信号に基づいて物理量を前記操作部に対する操作に従って測定する測定部と、電力供給を行う電力供給部と、予め規定された規定時間内に前記操作部に対する予め決められた操作がされなかったときに前記電力供給部による電力供給を停止させる制御部とを備えた測定装置であって、
前記測定用プローブに配設されて当該測定用プローブの移動に伴う第１検出値を検出する第１検出部と、前記本体部に配設されて当該本体部の移動に伴う第２検出値を検出する第２検出部とを備え、
前記第１検出部および前記第２検出部は、同じ種類の前記第１検出値および前記第２検出値をそれぞれ検出し、
前記制御部は、前記規定時間内に検出された前記第１検出値と当該規定時間内に検出された前記第２検出値との差分値が予め規定された第１基準値以上のときに前記電力供給部による前記電力供給を継続させる測定装置。
【請求項２】
前記測定用プローブを一対備え、
前記第１検出部は、前記各測定用プローブにそれぞれ配設され、
前記制御部は、前記各第１検出部のうちの一方の第１検出部によって前記規定時間内に検出された前記第１検出値と当該規定時間内に検出された前記第２検出値との差分値が前記第１基準値以上のときに前記電力供給部による前記電力供給を継続させる請求項１記載の測定装置。
【発明の詳細な説明】
【技術分野】
【０００１】
本発明は、測定用プローブを介して入力出力する電気信号に基づいて物理量を測定する測定装置に関するものである。
【背景技術】
【０００２】
所定の操作が所定時間されなかったときに電力の供給を遮断するオートパワーオフ機能を備えた装置として、特開平５−８０８９６号公報に開示されている電子機器が知られている。この電子機器は、キー入力がされる毎に電源電圧を検出し、検出した電源電圧に応じてオートパワーオフ時間を調整する（例えば、電源電圧が低いときには、オートパワーオフ時間を短縮する）。そして、この電子機器では、オートパワーオフ時間内にキー入力が１回もされなかったときに電力供給が停止（遮断）される。つまり、この電子機器では、不使用の状態が長時間継続したときに電力供給を自動的に切断することが可能となっている。
【先行技術文献】
【特許文献】
【０００３】
【特許文献１】特開平５−８０８９６号公報（第４頁、第１図）
【発明の概要】
【発明が解決しようとする課題】
【０００４】
ところが、この上記の電子機器が有するオートパワーオフ機能を例えば測定装置に適用した場合には、以下の課題が生じる。すなわち、この種のオートパワーオフ機能を備えた測定装置では、例えば測定開始を指示するキーのキー入力がされたときにタイマがリセットされ、そのキー入力時点からオートパワーオフ時間が経過するまでの間に、何らかのキー入力がされたときには、タイマが再びリセットされる。一方、キー入力時点からオートパワーオフ時間が経過するまでの間に次のキー入力がされなかったときには、電力供給が停止される。このため、この測定装置では、キー入力時点からオートパワーオフ時間が経過するまでの間に、測定用プローブを測定対象体に接触させて測定を行う必要がある。しかしながら、例えば、測定対象の構造や測定対象の設置位置によっては、測定対象体に測定用プローブを接触させ難く、測定用プローブを接触させるのに時間を要することがあり、このようなときには、測定が完了しないうちに電力供給が停止されることがあるという課題が生じる。
【０００５】
本発明は、かかる課題に鑑みてなされたものであり、不使用の状態が長時間継続したときに電力供給を自動的に切断する機能を維持しつつ使用中における電力供給の停止を防止し得る測定装置を提供することを主目的とする。
【課題を解決するための手段】
【０００６】
上記目的を達成すべく請求項１記載の測定装置は、本体部に接続される測定用プローブと、前記本体部に配設された操作部と、前記本体部に収容されると共に前記測定用プローブを介して入力出力する電気信号に基づいて物理量を前記操作部に対する操作に従って測定する測定部と、電力供給を行う電力供給部と、予め規定された規定時間内に前記操作部に対する予め決められた操作がされなかったときに前記電力供給部による電力供給を停止させる制御部とを備えた測定装置であって、前記測定用プローブに配設されて当該測定用プローブの移動に伴う第１検出値を検出する第１検出部と、前記本体部に配設されて当該本体部の移動に伴う第２検出値を検出する第２検出部とを備え、前記第１検出部および前記第２検出部は、同じ種類の前記第１検出値および前記第２検出値をそれぞれ検出し、前記制御部は、前記規定時間内に検出された前記第１検出値と当該規定時間内に検出された前記第２検出値との差分値が予め規定された第１基準値以上のときに前記電力供給部による前記電力供給を継続させる。
【０００７】
また、請求項２記載の測定装置は、請求項１記載の測定装置において、前記測定用プローブを一対備え、前記第１検出部は、前記各測定用プローブにそれぞれ配設され、前記制御部は、前記各第１検出部のうちの一方の第１検出部によって前記規定時間内に検出された前記第１検出値と当該規定時間内に検出された前記第２検出値との差分値が前記第１基準値以上のときに前記電力供給部による前記電力供給を継続させる。
【発明の効果】
【０００９】
請求項１記載の測定装置では、測定用プローブに配設された第１検出部によって規定時間内に検出された第１検出値と本体部に配設された第２検出部によって規定時間内に検出された第２検出値との差分値が予め規定された第１基準値以上のときに電力供給部による電力供給を継続させる。このため、この測定装置によれば、第１検出部によって規定時間内に検出された第１検出値がある程度大きく、測定装置が使用中である可能性が高いときには、規定時間内に操作部に対する予め決められた操作がされなかった場合においても、電力供給部による電力供給を継続させることができる。したがって、この測定装置によれば、不使用の状態が長時間継続したときに電力供給を自動的に停止する機能を維持しつつ、使用中における電力供給の停止を確実に防止することができる。
【００１０】
また、この測定装置によれば、例えば、スイッチを切り忘れた状態で、測定装置を車両に積み込んで走行したとしても、測定用プローブおよび本体部の双方が同様に振動（移動）して各第１検出部によって検出される第１検出値および第２検出部によって検出された第２検出値の差分値が小さいため、規定時間を経過したときに電力供給が自動的に停止される。したがって、この測定装置によれば、比較的大きな振動が発生するような場所にスイッチを切り忘れた状態で置かれた場合においても、長時間に亘って電力供給が継続される事態を確実に防止することができる。
【図面の簡単な説明】
【００１２】
【図１】絶縁抵抗計１の構成を示す構成図である。
【図２】絶縁抵抗計１の構成を示す斜視図である。
【図３】電力供給停止処理５０のフローチャートである。
【発明を実施するための形態】
【００１３】
以下、本発明に係る測定装置の実施の形態について、添付図面を参照して説明する。
【００１４】
最初に、絶縁抵抗計１の構成について、図面を参照して説明する。図１，２に示す絶縁抵抗計１は、測定装置の一例であって、測定対象体の絶縁抵抗（物理量の一例）を測定可能に構成されている。具体的には、絶縁抵抗計１は、図１に示すように、測定用プローブ２ａ，２ｂ（以下、区別しないときには「測定用プローブ２」ともいう）および本体部３を備えて構成されている。
【００１５】
各測定用プローブ２は、本体部３に接続された状態で測定対象体に接触（接続）されることにより、本体部３から出力される測定用信号（電気信号）を測定対象体に供給すると共に、測定対象体に生じる電気信号を本体部３に入力させる。この場合、この絶縁抵抗計１では、図２に示すように、各測定用プローブ２の一方（この例では、測定用プローブ２ａ）が、指先で保持した状態で先端部を測定対象体に接触させるペン型に構成され、各測定用プローブ２の他方（この例では、測定用プローブ２ｂ）が、測定対象体を挟んで接続させるクリップ型に構成されている。
【００１６】
また、この絶縁抵抗計１では、図１に示すように、測定用プローブ２ａに加速度センサ１１が配設されている。この場合、加速度センサ１１は、第１検出部の一例であって、測定用プローブ２ａが移動したときに、その移動に伴う加速度Ａｍ１（測定用プローブ２ａの移動速度の変化であって、第１検出値に相当する）を検出して検出信号Ｓｄ１を出力する。
【００１７】
本体部３は、図１に示すように、電力供給部２１、測定部２２、表示部２３、操作部２４、加速度センサ２５および制御部２６を備えて構成されている。また、本体部３には、測定用プローブ２ａ，２ｂの各接続端子をそれぞれ接続可能な入力端子３ａ，３ｂが配設されている。
【００１８】
電力供給部２１は、操作部２４の切替えスイッチ３１（図２参照）に対する操作によって切替えスイッチ３１の先端部がオフ（ＯＦＦ）状態を示す位置から、測定用信号の電圧値を示す４つの位置のうちのいずれかの位置に回動させられたときに絶縁抵抗計１を構成する各構成要素に対する電力供給を開始する。また、電力供給部２１は、制御部２６の制御に従って測定用信号（例えば、直流電圧信号）を生成して出力する。この場合、この絶縁抵抗計１では、一例とし電圧値が異なる４種類の直流電圧信号を出力可能に構成されている。
【００１９】
測定部２２は、制御部２６の制御に従い、測定用プローブ２を介して入出力する電気信号に基づいて測定対象体の絶縁抵抗を測定し、測定データを出力する。
【００２０】
表示部２３は、図２に示すように、一例として、本体部３の正面パネルに配設された液晶ディスプレイで構成され、制御部２６の制御に従い、測定部２２によって測定された絶縁抵抗の測定値を表示する。
【００２１】
操作部２４は、図２に示すように、本体部３の正面パネルに配設された切替えスイッチ３１、メジャースイッチ３２および設定キー３３を備えて構成されている。
【００２２】
加速度センサ２５は、第２検出部の一例であって、本体部３が移動したときに、その移動に伴う加速度Ａｍ２（本体部３の移動速度の変化であって、第２検出値に相当する）を検出して検出信号Ｓｄ２を出力する（図１参照）。
【００２３】
制御部２６は、操作部２４に対する操作に従って絶縁抵抗計１を構成する各構成要素を制御する。具体的には、制御部２６は、操作部２４のメジャースイッチ３２（図２参照）に対する操作（押圧操作）が行われたときに、電力供給部２１を制御して測定用信号を出力させる。また、制御部２６は、測定部２２による絶縁抵抗の測定を制御し、表示部２３による絶縁抵抗の測定値の表示を制御する。
【００２４】
また、制御部２６は、図３に示す電力供給停止処理５０を実行する。この電力供給停止処理５０では、制御部２６は、予め規定された規定時間Ｔｒ内に切替えスイッチ３１に対する操作（予め決められた操作の一例）およびメジャースイッチ３２に対する操作（予め決められた操作の他の一例）のいずれもが行われなかったときには電力供給部２１による電力供給を停止させ、規定時間Ｔｒ内にこれらいずれかの操作が行われたときには電力供給を継続させる処理（オートパワーオフ）を行う。なお、以下の説明において、切替えスイッチ３１に対する操作およびメジャースイッチ３２に対する操作を「測定操作」ともいう。
【００２５】
また、制御部２６は、規定時間Ｔｒ内に上記した測定操作が行われなかった場合においても、測定用プローブ２ａに配設された加速度センサ１１によって規定時間Ｔｒ内に検出された加速度Ａｍ１、および本体部３に配設された加速度センサ２５によって規定時間Ｔｒ内に検出された加速度Ａｍ２が後述する継続条件（予め決められた条件）を満たしたときには、電力供給部２１による電力供給を継続させる。
【００２６】
また、この絶縁抵抗計１では、電力供給停止処理５０において用いる基準値Ａｒ１（第１基準値に相当する）を、操作部２４の設定キー３３を操作することによって任意に変更することが可能となっており、制御部２６は、基準値Ａｒ１が変更されたときには、変更された基準値Ａｒ１を図外のメモリに記憶させる。
【００２７】
次に、絶縁抵抗計１を用いて測定対象体の絶縁抵抗を測定する方法、およびその際の絶縁抵抗計１の動作について、図面を参照して説明する。
【００２８】
測定を開始する際には、オフ（ＯＦＦ）を示す位置（初期状態の位置）に先端が位置している操作部２４の切替えスイッチ３１を操作（回動操作）し、測定用信号（直流電圧信号）の電圧値を示す４つの位置のうちの所望の位置（この例では、１０００Ｖを示す位置）にその先端を位置させて、測定用信号の電圧値を選択する（図２参照）。この際に、電力供給部２１が、絶縁抵抗計１を構成する各構成要素に対する電力供給を開始する。これにより、絶縁抵抗計１がオフ状態からオン状態に切り替えられる。
【００２９】
次いで、測定対象体における１つの被接触部位をクリップ型の測定用プローブ２ｂで挟み、その被接触部位に測定用プローブ２ｂを接触（接続）させる。続いて、ペン型の測定用プローブ２ａを指先で保持し、測定対象体における他の１つの被接触部位に測定用プローブ２ａの先端部を接触させる。
【００３０】
次いで、操作部２４のメジャースイッチ３２に対する操作（押圧操作）を行う。これに応じて、制御部２６は、電力供給部２１を制御して、上記した切替えスイッチ３１に対する操作によって選択された電圧値（この例では、１０００Ｖ）の測定用信号を出力させる。この際に、測定用信号が測定用プローブ２ａ，２ｂを介して測定対象体に供給される。
【００３１】
続いて、制御部２６は、測定部２２に対して測定処理を実行させる。この測定処理では、測定部２２は、測定用信号の供給によって測定対象体に生じる電気信号（この例では、電流）を測定用プローブ２ａ，２ｂを介して入力し、測定用信号および入力した電気信号に基づいて測定対象体の絶縁抵抗を測定して測定データを出力する。次いで、制御部２６は、測定部２２から出力された測定データによって特定される絶縁抵抗の値を表示部２３に表示させる。
【００３２】
また、制御部２６は、絶縁抵抗計１がオン状態に切り替えられたとき（各構成要素に対する電力供給が開始されたとき）に、図３に示す電力供給停止処理５０を実行する。この電力供給停止処理５０では、制御部２６は、絶縁抵抗計１がオン状態に切り替えられた時点からの経過時間Ｔｐを例えば内部タイマのカウント値に基づいて計測（計時）する処理を開始する（ステップ５１）。
【００３３】
続いて、制御部２６は、測定操作（切替えスイッチ３１に対する操作およびメジャースイッチ３２に対する操作）が行われたか否かを判別する（ステップ５２）。この場合、制御部２６は、このステップ５２において測定操作が行われていないと判別したときには、測定用プローブ２ａに配設された加速度センサ１１によって検出された加速度Ａｍ１、および本体部３に配設された加速度センサ２５によって検出された加速度Ａｍ２が予め決められた継続条件を満たしたか否かを判別する（ステップ５３）。
【００３４】
具体的には、制御部２６は、このステップ５３において、測定用プローブ２ａに配設された加速度センサ１１から出力された検出信号Ｓｄ１に基づいて加速度Ａｍ１を特定すると共に、本体部３に配設された加速度センサ２５から出力された検出信号Ｓｄ２に基づいて加速度Ａｍ２を特定する。次いで、制御部２６は、加速度Ａｍ１，Ａｍ２の差分値Ａｄを算出する。続いて、制御部２６は、差分値Ａｄが予め規定された基準値Ａｒ１（第１基準値）以上であることを上記の継続条件として、この継続条件を満たすか否かを判別する。
【００３５】
この場合、制御部２６は、このステップ５３において、継続条件を満たしていないと判別したときには、経過時間Ｔｐが予め決められた規定時間Ｔｒ（例えば、１０分）に達したか否かを判別する（ステップ５４）。制御部２６は、このステップ５４において経過時間Ｔｐが規定時間Ｔｒに達していないと判別したときには、ステップ５２を実行する。
【００３６】
一方、ステップ５４において、経過時間Ｔｐが規定時間Ｔｒに達したと判別したとき、つまり、経過時間Ｔｐが規定時間Ｔｒに達するまでに（規定時間Ｔｒ内に）測定操作が行われず、かつ加速度センサ１１，２５によって検出された加速度Ａｍ１，Ａｍ２が継続条件を満たしていないときには、制御部２６は、電力供給部２１による電力供給を停止させて（ステップ５５）、電力供給停止処理５０を終了する。
【００３７】
また、制御部２６は、上記したステップ５２において測定操作が行われたと判別したとき、つまり、経過時間Ｔｐが規定時間Ｔｒに達するまでに測定操作が行われたときには、経過時間Ｔｐをリセット（経過時間Ｔｐを０に設定）し（ステップ５６）、続いて、経過時間Ｔｐの計測を新たに開始する（ステップ５１）。このため、規定時間Ｔｒ内に測定操作が行われる状態が繰り返される状態においては、ステップ５１，５２、５６が繰り返して実行され、これによって電力供給部２１による電力供給が継続される。
【００３８】
また、制御部２６は、上記したステップ５３において、加速度センサ１１，２５によって検出された加速度Ａｍ１，Ａｍ２が上記した継続条件を満たすと判別したときには、経過時間Ｔｐをリセットして（ステップ５６）、経過時間Ｔｐの計測を新たに開始する（ステップ５１）。つまり、この絶縁抵抗計１では、規定時間Ｔｒ内に測定操作が行われなかった場合においても、加速度センサ１１，２５によって規定時間Ｔｒ内に検出された加速度Ａｍ１，Ａｍ２が予め決められた継続条件を満たしたときには、電力供給部２１による電力供給が継続される。
【００３９】
ここで、加速度センサ１１，２５によって検出された加速度Ａｍ１，Ａｍ２が予め決められた継続条件を満たしたとき、つまり、上記した差分値Ａｄが基準値Ａｒ１（第１基準値）以上のときには、例えば、本体部３を床や台の上に置いた状態で測定用プローブ２ａを移動させている可能性、すなわち絶縁抵抗計１が使用中である可能性が高い。この場合、この絶縁抵抗計１では、上記したように、規定時間Ｔｒ内に測定操作が行われなかった場合においても、加速度センサ１１，２５によって検出された加速度Ａｍ１，Ａｍ２が予め決められた継続条件を満たしたときには、電力供給部２１による電力供給が継続される。このため、この絶縁抵抗計１では、規定時間Ｔｒ内に測定操作がされない場合においても、このような形態で使用しているときには、電力供給が継続される。したがって、この絶縁抵抗計１では、不使用の状態が長時間継続したときに電力供給を自動的に停止する機能を維持しつつ、使用中における電力供給の停止が確実に防止される。
【００４０】
一方、例えば、切替えスイッチ３１に対する操作によって絶縁抵抗計１をオフ状態に切り替えることなく電力供給を継続させた状態（つまり、スイッチを切り忘れた状態）で、絶縁抵抗計１を車両に積み込んで走行したときには、車両の振動によって測定用プローブ２ａおよび本体部３の双方が振動し、この振動による加速度Ａｍ１，Ａｍ２を加速度センサ１１，２５が検出することがある。この場合、例えば、測定用プローブ２ａによって検出される加速度Ａｍ１が予め決められた基準値以上であることをだけを継続条件とする構成では、車両の振動が大きいときには、その基準値以上の加速度Ａｍ１が検出され続けて、電力供給が長時間に亘って継続されることがある。
【００４１】
これに対して、この絶縁抵抗計１では、差分値Ａｄが基準値Ａｒ１以上であることを継続条件としているため、このような状態においても、長時間に亘る電力供給が継続される事態が防止される。具体的には、絶縁抵抗計１を積載した車両が走行したときに、測定用プローブ２ａの振動の状態（振幅等）と本体部３の振動の状態とには大きな差が生じないため、加速度センサ１１，２５によって検出される加速度Ａｍ１，Ａｍ２にも大きな差が生じず、この結果、差分値Ａｄが基準値Ａｒ１よりも小さくなる。したがって、この絶縁抵抗計１では、スイッチを切り忘れた状態においても、差分値Ａｄが基準値Ａｒ１以上であるとの継続条件を満たすことなく、経過時間Ｔｐが規定時間Ｔｒに達したときに電力供給が自動的に停止される。
【００４２】
このように、この絶縁抵抗計１では、加速度センサ１１，２５によって規定時間Ｔｒ内に検出された加速度Ａｍ１，Ａｍ２が継続条件を満たしたときに電力供給部２１による電力供給を継続させる。このため、絶縁抵抗計１によれば、加速度センサ１１によって規定時間Ｔｒ内に検出された加速度Ａｍ１がある程度大きく、絶縁抵抗計１が使用中である可能性が高いときには、規定時間Ｔｒ内に測定操作が行われなかった場合においても、電力供給部２１による電力供給を継続させることができる。したがって、この絶縁抵抗計１によれば、不使用の状態が長時間継続したときに電力供給を自動的に停止する機能を維持しつつ、使用中における電力供給の停止を確実に防止することができる。
【００４３】
また、この絶縁抵抗計１では、測定用プローブ２ａに配設された加速度センサ１１によって検出された加速度Ａｍ１と本体部３に配設された加速度センサ２５によって検出された加速度Ａｍ２との差分値Ａｄが予め規定された基準値Ａｒ１以上のときに電力供給部２１による電力供給を継続させる。このため、この絶縁抵抗計１によれば、例えば、スイッチを切り忘れた状態で、絶縁抵抗計１を車両に積み込んで走行したとしても、測定用プローブ２ａおよび本体部３の双方が同様に振動（移動）して各加速度センサ１１，２５によって検出される加速度Ａｍ１，Ａｍ２の差分値Ａｄが小さいため、経過時間Ｔｐが規定時間Ｔｒに達したときに電力供給が自動的に停止される。したがって、この絶縁抵抗計１によれば、比較的大きな振動が発生するような場所にスイッチを切り忘れた状態で置かれた場合においても、長時間に亘って電力供給が継続される事態を確実に防止することができる。
【００４４】
なお、測定装置の構成は、上記した構成に限定されない。例えば、加速度Ａｍ１，Ａｍ２を検出する加速度センサ１１，２５を検出部として用いる例について上記したが、他のセンサを検出部として用いることができる。例えば、ジャイロスコープや光ファイバジャイロなどの角速度を検出する角速度センサ、および磁気抵抗効果素子等を備えて方位を検出する方位センサなどを、測定用プローブ２ａや本体部３の移動を検出する検出部として用いることができる。
【００４５】
また、測定用プローブ２ａおよび本体部３に加速度センサ１１および加速度センサ２５をそれぞれ配設し、各加速度センサ１１，１５によって検出された加速度Ａｍ１，Ａｍ２の差分値Ａｄが基準値Ａｒ１以上のときに電力供給を停止させるか継続させるかの判定を行う構成例について上記したが、この判定を加速度センサ１１によって検出された加速度Ａｍ１のみに基づいて判定する構成を採用することもできる。具体的には、規定時間Ｔｒ内に検出された加速度Ａｍ１が基準値Ａｒ２（第２基準値に相当する）以上のときには、電力供給を継続させる構成を採用することもできる。この構成によれば、測定用プローブ２ａにのみ加速度センサ１１を配設すればよいため、構成を簡略化することができる。
【００４６】
また、加速度センサ１１によって検出された加速度Ａｍ１が基準値Ａｒ２以上のときに電力供給を継続させる構成では、操作部２４の設定キー３３を操作することで、基準値Ａｒ２を任意に変更可能な構成を採用することもできる。このような構成を採用した場合には、例えば、加速度センサ１１の感度が高すぎたり周囲のノイズが大きいことに起因して加速度Ａｍ１が誤検出され、これによって絶縁抵抗計１を使用していない状態でも電力供給が継続されるときには、基準値Ａｒ２を大きい値に変更することで、この状態を容易に解消することができる。
【００４７】
また、これとは逆に、加速度センサ１１の感度が低すぎることに起因して、絶縁抵抗計１を使用しているにも拘わらず加速度Ａｍ１が基準値Ａｒ２よりも小さい値となって電力供給が停止されるときには、基準値Ａｒ２を小さい値に変更することで、この状態を容易に解消することができる。
【００４８】
また、２つの測定用プローブ２ａ，２ｂのうちの測定用プローブ２ａだけをペン型に構成し、その測定用プローブ２ａにのみ加速度センサ１１を配設した構成例について上記したが、測定用プローブ２ａ，２ｂの双方をペン型に構成し、各測定用プローブ２ａ，２ｂに加速度センサ１１をそれぞれ配設する構成を採用することもできる。この構成では、２つの加速度センサ１１によって検出された各加速度Ａｍ１の一方（例えば、任意に選択した一方、値が大きい一方、および値が小さい一方）と加速度センサ２５によって検出された加速度Ａｍ２との差分値Ａｄが基準値Ａｒ１以上のときに電力供給を継続させることもできる。また、２つの加速度センサ１１によって検出された各加速度Ａｍ１の一方（例えば、任意に選択した一方、値が大きい一方、および値が小さい一方）が基準値Ａｒ２以上のときに電力供給を継続させることもできる。
【００４９】
また、絶縁抵抗計１に適用した例について上記したが、電圧や電流などの絶縁抵抗以外の各種の物理量を測定する測定装置に適用することができ、この構成においても、上記した絶縁抵抗計１の効果と同様の効果を実現することができる。
【符号の説明】
【００５０】
１  絶縁抵抗計
２ａ，２ｂ  測定用プローブ
３  本体部
２４  操作部
１１  加速度センサ
２１  電力供給部
２２  測定部
２５  加速度センサ
２６  制御部
３１  切替えスイッチ
３２  メジャースイッチ
３３  設定キー
Ａｄ  差分値
Ａｍ１  加速度
Ａｍ２  加速度
Ａｒ１  基準値
Ａｒ２  基準値
Ｔｒ  規定時間
【図１】
0005846804.tif 000002
【図２】
0005846804.tif 000003
【図３】
0005846804.tif 000004